(57)【要約】【課題】壁面に対するシャワーヘッドの固定状態の安定化を図る。【解決手段】シャワーヘッド１は、壁面４０に対して磁気吸着する吸着面８の中央部に第１磁石２１及び第２磁石２２を備えている。第１磁石２１と第２磁石２２との周囲には、壁面４０に当接する滑止面３３、３４を備えた弾性部材２３、２４が設けられている。【選択図】図１
2020005882.tif 000002
【特許請求の範囲】
【請求項１】
所定の壁面に対して磁気吸着する吸着面を備えるシャワーヘッドであって、
前記吸着面には壁面に当接する磁気面を備えた磁石を設けると共に、前記磁石の周囲には壁面に当接する滑止面を備えた弾性部材が設けられていることを特徴とするシャワーヘッド。
【請求項２】
前記弾性部材の滑止面は、前記磁石の磁気面よりもシャワーヘッドの吸着面から突出して設けられていることを特徴とする請求項１に記載のシャワーヘッド。
【請求項３】
前記弾性部材の滑止面には凹凸が設けられていることを特徴とする請求項１又は請求項２に記載のシャワーヘッド。
【発明の詳細な説明】
【技術分野】
【０００１】
本発明は、シャワーヘッドに関する。
【背景技術】
【０００２】
近年、浴室に磁性体を有する壁面等を設けるとともに、シャワーヘッドに磁石を取付けることにより、浴室壁面とシャワーヘッドとの間の磁気吸着を利用して、使用者が浴室の任意の位置に自在にシャワーヘッドを固定可能とする技術が提案されている（特許文献１参照）。
【先行技術文献】
【特許文献】
【０００３】
【特許文献１】実開昭５７−８５０６９号公報
【発明の概要】
【発明が解決しようとする課題】
【０００４】
しかし、磁気吸着のみにより浴室の壁面等に固定されるシャワーヘッドは、泡や水滴などが付着した環境で使用されることや、シャワー吐水時には大きな水圧が作用することから、シャワーヘッドが振動して動きやすくなり、壁面に対する固定状態が不安定になりやすく、壁面から滑り落ちやすい傾向がある。そのため、壁面に対する固定状態を安定化させることができない。
【０００５】
この発明は、こうした実情に鑑みてなされたものであり、その目的は、壁面に対するシャワーヘッドの固定状態の安定化を図ることにある。
【課題を解決するための手段】
【０００６】
上記課題を解決するシャワーヘッドは、所定の壁面に対して磁気吸着する吸着面を備えるシャワーヘッドであって、前記吸着面には壁面に当接する磁気面を備えた磁石を設けると共に、前記磁石の周囲には壁面に当接する滑止面を備えた弾性部材が設けられている。
【０００７】
上記構成によれば、吸着面には壁面に当接する磁気面を備えた磁石が設けられ、その磁気面を備えた磁石の周囲には壁面に当接する滑止面を備えた弾性部材が設けられているため、高い滑止効果を確保することが容易である。そのため、泡で滑りやすく水で濡れた壁面に取り付ける場合や、シャワー吐水時の水圧が作用している場合にも、弾性部材がシャワーヘッドの振動を吸収して動きにくくすると共に、壁面に対するシャワーヘッドの固定状態が安定化して、位置ずれや滑り落ちなどを抑制することができる。
また、弾性部材（滑止面）を磁石（磁気面）の周囲に設けることにより、シャワーヘッドで発生した振動が吸着面の磁石（磁気面）から周囲の壁面に伝わるのを、弾性部材（滑止面）がすぐ近くで振動を吸収することができるため、振動の伝わりを抑制することができる。
【０００８】
上記シャワーヘッドにおいて、前記磁石と前記弾性部材の数はそれぞれ複数であってもいいし、同数でなくてもよい。弾性部材の組付けられる向きについては、それぞれ異なる方向に設けることが好ましい。
【０００９】
上記構成によれば、さらに壁面に対するシャワーヘッドの固定状態が安定化して、位置ずれや滑り落ちなどを抑制することができる。
【００１０】
上記シャワーヘッドにおいて、前記弾性部材の滑止面は、前記磁石の磁気面よりもシャワーヘッドの吸着面から突出して設けられている。
【００１１】
上記構成によれば、シャワーヘッドを壁面に取り付ける際に、磁石の磁気面よりも先に弾性部材の滑止面が壁面に当接して押し潰されるため、壁面に対する滑止面の摩擦力が増して、より壁面から滑り落ちにくくなる。そのため、壁面に対するシャワーヘッドの固定状態が安定化して、位置ずれや滑り落ちなどをさらに抑制することができる。
【００１２】
上記シャワーヘッドにおいて、前記弾性部材の滑止面には凹凸が設けられている。
【００１３】
上記構成によれば、シャワーヘッドを取り付ける際に、弾性部材の滑止面にある凹凸が押し潰されることにより、凹凸と壁面との隙間から壁面に付着した泡や水滴を押し出すことができるため、より壁面に密着しやすくなる。そのため、壁面に対するシャワーヘッドの固定状態が安定化して、位置ずれや滑り落ちなどをさらに抑制することができる。
【発明の効果】
【００１４】
本発明によれば、壁面に対するシャワーヘッドの固定状態の安定化を図ることができる。
【図面の簡単な説明】
【００１５】
【図１】（ａ）、（ｂ）は、シャワーヘッドの斜視図。
【図２】シャワーヘッドに収容するケースの分解斜視図。
【図３】シャワーヘッドの吸着部の拡大側面図。
【図４】壁面にシャワーヘッドの吸着部を取り付けた状態を示す説明図。
【発明を実施するための形態】
【００１６】
図１（ａ）、（ｂ）に示すように、シャワーヘッド１は、その外側を形成するハウジング２を備えている。ハウジング２は、シャワー水を吐出するための吐水孔を有するシャワーフェイス３が位置するヘッド部４と、ヘッド部４の下側に設けられる把持部５とを備えている。把持部５の下部には、給水ホースに連結される連結部６が形成されている。
【００１７】
また、ヘッド部４は、上側から下側に向かって背面側に傾斜する形状をなし、正面側に位置するシャワーフェイス３が斜め下方を向くように構成されている。把持部５は、上下方向に延びるとともに上側から下側に向かって正面側に傾斜する形状をなしている。        そして、ヘッド部４と把持部５とは側面視Ｖ字状をなすように接続されている。
【００１８】
図１（ｂ）及び図２に示すように、シャワーヘッド１のハウジング２の背面側には、収容部７が形成されている。収容部７には、所定の壁面に対して磁気吸着する吸着面８を有するケース１０が収容されネジ（図示しない）にてハウジング２に固定される。
【００１９】
図２に示すように、シャワーヘッド１のケース１０の吸着面８には、その中央部に第１磁石２１が収容される長方形状の第１収容部１１と、第２磁石２２が収容される長方形状の第２収容部１２とを上下方向に並列して備えている。
そして、第１磁石２１が収容される第１収容部１１の周囲（上側）には、弾性部材としての第１パッキン２３が収容される長円形状の第３収容部１３を備え、第２磁石２２が収容される第２収容部１２の周囲（下側）には、弾性部材としての第２パッキン２４が収容される長円形状の第４収容部１４を備えている。
【００２０】
図２及び図３に示すように、ケース１０の吸着面８にある第１収容部１１と第２収容部１２に、第１磁気面３１を備えた第１磁石２１と第２磁気面３２を備えた第２磁石２２をそれぞれネジ１６にて固定することにより、第１磁石２１及び第２磁石２２を吸着面８に収容することができる。
また、ケース１０の吸着面８にある第３収容部１３と第４収容部１４に、第１滑止面３３を備えた第１パッキン２３と第２滑止面３４を備えた第２パッキン２４をそれぞれ圧入することにより、第１パッキン２３及び第２パッキン２４を吸着面８に収容することができる。
従って、ケース１０の吸着面８には壁面４０に当接する磁気面３１、３２を備えた磁石２１、２２を設けると共に、磁石２１、２２の周囲には壁面４０に当接する滑止面３３、３４を備えた弾性部材２３、２４を設けることができる。
【００２１】
図３に示すように、第１磁石２１及び第２磁石２２を吸着面８側から突出した位置で収容することにより、第１磁気面３１及び第２磁気面３２を吸着面８として、図４に示す浴室の壁面４０に磁気吸着することができる。この場合、第１磁気面３１及び第２磁気面３２の吸着面８側からの突出量は０．３〜１．０ｍｍになるように収容することが好ましい。
【００２２】
また、第１磁石２１の第１磁気面３１の表面と第２磁石２２の第２磁気面３２の表面には、壁面４０に当接した時にキズなどを生じさせないように緩衝材もしくは皮膜を設けてもよい。なお、第１磁石２１と第２磁石２２については、フェライト磁石や合金磁石、希土類磁石等の永久磁石を用いてもよい。
【００２３】
図３に示すように、第３収容部１３と第４収容部１４に、第１滑止面３３を備えた第１パッキン２３と第２滑止面３４を備えた第２パッキン２４とをそれぞれ圧入して収容することにより、第１滑止面３３及び第２滑止面３４を吸着面８から突出させることができる。この場合、第１滑止面３３及び第２滑止面３４は、前記した第１磁気面３１及び第２磁気面３２の吸着面８側からの突出量と同じく０．３〜１．０ｍｍになるように突出させることが好ましい。
【００２４】
また、弾性部材としての第１パッキン２３と第２パッキン２４はゴムでできているため、壁面４０に吸着することにより押し潰すことができる。そのため、第１滑止面３３及び第２滑止面３４の吸着面８側からの突出量を第１磁気面３１及び第２磁気面３２の吸着面８側からの突出量よりも０．３〜１．０ｍｍ高くなるように、第１パッキン２３と第２パッキン２４の長さを大きくして圧入することにより、より壁面４０に引っかかり、より強く密着することができる。
従って弾性部材２３、２４の滑止面３３、３４は、磁石２１、２２の磁気面３１、３２よりもシャワーヘッド１の吸着面８から突出して設けることができる。
【００２５】
図２及び図３に示すように、弾性部材としての第１パッキン２３の第１滑止面３３と第２パッキン２４の第２滑止面３４には、凹凸２５が設けられている。この第１滑止面３３と第２滑止面３４が壁面４０に吸着した時に、凹凸２５と壁面４０との隙間から、壁面４０に付着した泡や水滴を押し出すことができるため、より強く密着することができる。なお、本実施例では弾性部材として第１パッキン２３と第２パッキン２４を用いたが、例えばゲル部材等を用いてもよい。
【００２６】
次に、本実施形態の作用について説明する。
図３に示すように、シャワーヘッド１は、磁性体として機能する壁面４０を有する浴室等に設置されて使用されている。磁性体として機能する壁面４０としては、例えば、化粧鋼板などの壁パネル、ホーローなどの壁パネルなどが挙げられる。
【００２７】
シャワーヘッド１は、壁面４０の任意の位置において、ハウジング２の背面側に設けられた吸着面８を壁面４０に接触させることにより、吸着面８と壁面４０との間に発生する磁気吸着力に基づいて壁面４０に固定される。具体的には、吸着面８に設けられた第１磁石２１の第１磁気面３１及び第２磁石２２の第２磁気面３２と壁面４０とが面同士で接触した状態で固定される。
【００２８】
一方、吸着面８に設けられた弾性部材としての第１パッキン２３の第１滑止面３３と第２パッキン２４の第２滑止面３４は、吸着面８と壁面４０との間に発生する吸着力に基づいて壁面４０に当接した状態で固定される。
【００２９】
ここで、図３及び図４に示すように、シャワーヘッド１の吸着面８に設けられた第１パッキン２３の第１滑止面３３と第２パッキン２４の第２滑止面３４とは、同じ吸着面８に設けられた第１磁石２１の第１磁気面３１と第２磁石２２の第２磁気面３２よりも吸着面８側に突出して設けられている。
そのため、第１滑止面３３と第２滑止面３４は第１磁気面３１や第２磁気面３２よりも先に壁面４０に押し付けられるため、第１滑止面３３と第２滑止面３４が押し潰されることにより壁面に対する摩擦力が増して、壁面４０との密着性が強く得られる。
これにより、シャワーヘッド１が壁面４０から滑り落ちるのを抑制することができる。
【００３０】
また、第１滑止面３３と第２滑止面３４との表面には、凹凸２５が設けられている。そのため、壁面４０にさらに押し潰されやすくなり、凹凸２５と壁面４０との隙間から壁面４０に付着した泡や水滴を排出することができるため、より密着性が強く得られる。
【００３１】
次に、本実施形態の効果について記載する。
（１）シャワーヘッド１は、壁面４０に対して磁気吸着する吸着面８に第１磁石２１と第２磁石２２とを備え、その第１磁気面３１と第２磁気面３２との周囲に、弾性部材２３、２４を設けている。
【００３２】
上記構成によれば、磁石の磁気面の周囲に弾性部材が設けられているため、より高い滑止力を確保することができる。そのため、シャワーヘッドを泡や水滴が付いた壁面に取り付ける場合や、シャワー吐水時の水圧が作用している場合にも壁面に対するシャワーヘッドの固定状態が安定化して、位置ずれや外れを抑制することができる。
【００３３】
（２）シャワーヘッド１は、壁面４０に対して磁気吸着する吸着面８に第１磁石２１の第１磁気面３１と第２磁石２２の第２磁気面３２とを吸着面８側から突出した位置に設けられており、その第１磁気面３１と第２磁気面３３よりもさらに吸着面８側から突出した位置に弾性部材２３、２４の第１滑止面３３と第２滑止面３４を設けている。
【００３４】
上記構成によれば、壁面にシャワーヘッドを取り付ける際に、第１滑止面と第２滑止面が押し潰されることにより壁面に対する摩擦力が増して、壁面との密着性が強く得られる。そのため、壁面に対するシャワーヘッドの固定状態がより安定化して、位置ずれや外れを抑制することができる。
【００３５】
（３）シャワーヘッド１は、壁面４０に対して磁気吸着する吸着面８側から突出した位置に設けた弾性部材の第１滑止面３３と第２滑止面３４の表面に凹凸２５を設けている。
【００３６】
上記構成によれば、壁面にシャワーヘッドを取り付ける際に、吸着力により弾性部材の第１滑止面と第２滑止面を押し潰しやすくなり、凹凸と壁面との隙間から壁面に付着した泡や水滴を排出することができるため、より強く押し付けることができ、壁面に対するシャワーヘッドの固定状態がより安定化して、位置ずれや外れを抑制することができる。
【００３７】
本実施形態は、次のように変更して実施することも可能である。また、上記実施形態の構成や以下の変更例に示す構成を適宜組み合わせて実施することも可能である。
・ケース１０の第３収容部１３と第４収容部１４に、第１滑止面３３を備えた第１弾性部材２３と第２滑止面３４を備えた第２弾性部材２４をそれぞれ圧入する時に、バネ材などを第３収容部１３と第４収容部１４に挿入してもよい。
【００３８】
・第１滑止面３３及び第２滑止面３４の表面を粗面状にすることによって滑りにくくしてもよい。
【００３９】
・第１磁気面３１、第２磁気面３２と第１滑止面３３、第２滑止面３４との吸着面８からの突出量をなくして、吸着面８の表面と同じ位置に設けてもよい。
【００４０】
・吸着面８の表面全部を弾性部材としてもよい。また、ケース１０そのものを弾性部材としてもよい。
【符号の説明】
【００４１】
１；シャワーヘッド、２；ハウジング、３；シャワーフェイス、４；ヘッド部、５；把持部、６；連結部、７；収容部、８；吸着面、１０；ケース、１１；第１収容部、１２；第２収容部、１３；第３収容部、１４；第４収容部、１６；ネジ、２１；第１磁石、２２；第２磁石、２３；弾性部材としての第１パッキン、２４；弾性部材としての第２パッキン、２５；凹凸、３１；第１磁気面、３２；第２磁気面、３３；第１滑止面、３４；第２滑止面。
【図１】
2020005882.tif 000003
【図２】
2020005882.tif 000004
【図３】
2020005882.tif 000005
【図４】
2020005882.tif 000006